(57)【要約】【課題】  配線保持具が簡単に且つ確実に下地フレームに取り付けできる太陽電池架台を提供する。【解決手段】  太陽電池架台１は、上面に太陽電池パネル３を取り付ける下地フレーム１１と、配線保持具７とを備え、下地フレーム１１は側面２７に上係合部２５と下係合部２３を有し、配線保持具７は、配線を収納する配線収納部５３と、上被係合部５５と、下被係合部５７を有し、下地フレーム１１の上係合部２５と配線保持具７の上被係合部５５が、下地フレーム１１の下係合部２３と配線保持具７の下被係合部５７が着脱自在に係合してあると共に上係合部２５の上面２５ｂとこの上面２５ｂに隣り合う上被係合部５５の上面５５ａ、下係合部２３の下面２３ｂとこの下面２３ｂに隣り合う下被係合部５７の下面５７ａを同一面にしてある。【選択図】図１
2014084572.tif 000002
【特許請求の範囲】
【請求項１】
上面に太陽電池パネルを取り付ける下地フレームと、配線保持具とを備え、下地フレームは側面に上係合部と上係合部の下に位置する下係合部を有し、配線保持具は、配線を収納する配線収納部と、上被係合部と下被係合部を有し、下地フレームの上係合部と配線保持具の上被係合部及び下地フレームの下係合部と配線保持具の下被係合部が着脱自在に係合してあり、下地フレームの上係合部の上面とこの上面に隣り合う配線保持具の上被係合部の上面を同一面にしてあると共に下地フレームの下係合部の下面とこの下面に隣り合う配線保持具の下被係合部の下面を同一面にしてあることを特徴とする太陽電池架台。
【発明の詳細な説明】
【技術分野】
【０００１】
本発明は、太陽電池パネルを取り付ける太陽電池架台に関する。
【背景技術】
【０００２】
一般に、太陽電池パネルを取り付ける太陽電池架台では、各太陽電池パネルを接続したり、各太陽電池パネルで発電した電流を送る為に、太陽電池パネルの下方に多数の配線が設けられている。
従来、この種の配線は下地フレームに沿って配置し、配線保持具を下地フレームに取付けて、配線保持具で下地フレームに配線を保持していた。
【先行技術文献】
【特許文献】
【０００３】
【特許文献１】なし
【発明の概要】
【発明が解決しようとする課題】
【０００４】
しかし、配線保持具が下地フレームに正しく取付けていない場合があると、配線保持具が脱落するという不都合がある。
特に、太陽電池架台は上に太陽電池パネルを敷き詰めているので、屈んで作業したり手探りで作業する場合もある為、下地フレームに配線保持具を取り付ける作業がし難いと共に、配線保持具が正しく取り付けたかどうかを確認し難いという不都合があった。
【０００５】
そこで、本発明は、配線保持具が簡単に且つ確実に下地フレームに取り付けできる太陽電池架台の提供を目的とする。
【課題を解決するための手段】
【０００６】
請求項１に記載の発明は、上面に太陽電池パネルを取り付ける下地フレームと、配線保持具とを備え、下地フレームは側面に上係合部と上係合部の下に位置する下係合部を有し、配線保持具は、配線を収納する配線収納部と、上被係合部と下被係合部を有し、下地フレームの上係合部と配線保持具の上被係合部及び下地フレームの下係合部と配線保持具の下被係合部が着脱自在に係合してあり、下地フレームの上係合部の上面とこの上面に隣り合う配線保持具の上被係合部の上面を同一面にしてあると共に下地フレームの下係合部の下面とこの下面に隣り合う配線保持具の下被係合部の下面を同一面にしてあることを特徴とする太陽電池架台である。
【発明の効果】
【０００７】
請求項１に記載の発明によれば、配線を配線保持具に収納し、下地フレームの側面に設けた上係合部に配線保持具の上被係合部を係合すると共に下地フレームの下係合部に配線保持具の下被係合部を係合するだけで、配線を下地フレームに保持することができるから、配線保持具の取り付けが簡単にできる。
配線保持具は下地フレームに脱着自在に係合してあるから、メンテナンス時における配線処理のやり直しや配線の交換等も容易にできる。
配線保持具は下地フレームに取り付けた際に、下地フレームの上係合部の上面とこの上面に隣り合う配線保持具の上被係合部の上面を同一面にしてあり、下地フレームの下係合部の下面とこの下面に隣り合う配線保持具の下被係合部の下面を同一面にしているので、下地フレームと配線保持具との係合部分を、目視により又は手で触って同一面か否かを確認することにより、配線保持具を下地フレームに正しく取り付けたかどうかを簡単に且つ確実に確認することができる。
配線保持具は下地フレームに取り付けた際に、下地フレームと配線保持具の係合部分を同一面にしているので、下地フレームに配線保持具を仮り付けした状態で上下に積み重ねて工場から施工現場へ運ぶ場合に、下地フレームと配線保持具との係合部分に段差がないので、安定に積み重ねできると共に傷が付くのを防止できる。
【図面の簡単な説明】
【０００８】
【図１】本発明の実施の形態にかかる太陽電池架台であって、下地フレームに配線保持具を取り付けた部分を抜き出して示す縦断面図である。
【図２】本発明の実施の形態にかかる太陽電池架台であって、下地フレームに配線保持具を取り付けた部分を抜き出して示す斜視図である。
【図３】本発明の実施の形態にかかる太陽電池架台を用いた太陽電池パネル体であって、図８に示すＡ−Ａ縦断面図である。
【図４】本発明の実施の形態にかかる太陽電池架台であって、梁材と下地フレームとを示す斜視図であり、（ａ）は梁材に下地フレームを配置する前の状態、（ｂ）は梁材に下地フレームを配置するときの状態を示す図である。
【図５】本発明の実施の形態にかかる太陽電池架台であって、下地フレーム位置決め部材、ボルト、太陽電池パネル押さえ材及びナットを抜き出して示す分解斜視図である。
【図６】本発明の実施の形態にかかる太陽電池架台であって、下地フレームに下地フレーム位置決め部材とボルトを取り付けた状態を示す平面図である。
【図７】本発明の実施の形態にかかる太陽電池架台を用いた太陽電池パネル体の側面図である。
【図８】図７に示す太陽電パネル体の平面図である。
【図９】図７に示す太陽電パネル体の背面図である。
【図１０】本発明の変形例にかかる太陽電池架台であって、下地フレームに配線保持具を取り付けた部分を示す斜視図である。
【発明を実施するための形態】
【０００９】
以下に、添付図面の図１〜図９を参照して本発明の実施の形態を説明する。
図７に示すように、本発明の実施の形態に係る太陽電池架台１は、上面に太陽電池パネル３を取り付ける太陽電池パネル体２に用いられものであり、架台本体５と配線保持具７（図１及び図２参照）とを備えている。
図８に示すように、太陽電池パネル３は太陽電池架台１の上面に敷き詰めて多数設けてあり、太陽電池パネル３からは、所定の太陽電池パネル３を繋いだり、発電した電流を流す為の配線Ｔ（図１参照）が引き出されている。
【００１０】
図７及び図９に示すように、架台本体５は、梁材９と、下地フレーム１１と、下地フレーム押さえ材１３（図３参照）と、太陽電池パネル固定具１４（図３参照）と、前側支柱１５ａと、後側支柱１５ｂとを備えている。
後側支柱１５ｂは前側支柱１５ａよりも高くしてあり、前側支柱１５ａ及び後側支柱１５ｂは各々左右に間隔をあけて設けている。前側支柱１５ａ及び後側支柱１５ｂには梁材９が左右に間隔をあけて且つ前後に傾斜して架設されている。図９に示すように、後側支柱１５ｂ、１５ｂ間はブレース１７で連結されている。
隣り合う左右の梁材９、９には、下地フレーム１１が太陽電池パネル３の上下の巾と略同じ寸法の間隔をあけて架設されている。
図３及び図４に示すように、梁材９の上面にはその長手方向に亘ってボルト係合溝１６が形成してあり、後述するボルト３１の頭をスライド自在に係合している。また、梁材９の上面には、所定位置に下地フレーム位置決め部材１８が取り付けてあり、下地フレーム位置決め部材１８はボルト係合溝１６を横断するように、所定位置で梁材９の上面にねじで固定してある。
【００１１】
図１及び図３に示すように、各下地フレーム１１は、断面略四角形状の中空形材であり、下面を梁材９の上に載置する梁材被載置部１９とし、上面を太陽電池パネル３が載置する太陽電池パネル載置部２１としてある。
下地フレーム１１の梁材被載置部１９には、左側及び右側に各々下地フレーム１１の長手方向に亘って突設した下係合部（係合部）２３、２３が形成されている。梁材被載置部１９と下係合部２３、２３とは下面を面一にしてあると共に、各下係合部２３、２３は突出側程厚みを厚くするように、その上面２３ａが傾斜して形成されている。各下係合部２３、２３は同一寸法で同一形状としてある。
下地フレーム１１の太陽電池パネル載置部２１には、下係合部２３、２３に対向する上係合部（係合部）２５、２５が形成されている。太陽電池パネル載置部２１と上係合部２５、２５の上面は面一にしてあると共に、各上係合部２５、２５は突出側程厚みを厚くするように、その下面２５ａが傾斜して形成されている。各上係合部２５、２５も下係合部２３、２３と同様に同一寸法で同一形状としてある。
下地フレーム１１において、梁材被載置部１９と太陽電池パネル載置部２１との間の対向する側面２７、２７は各々溝がない平面状を成している。
下地フレーム１１の梁材被載置部１９には、位置決め溝２９が下地フレーム１１の長手方向に形成されている。
図３に示すように、位置決め溝２９には、梁材９に固定した下地フレーム位置決め部材１８が当接して梁材９に対して下地フレーム１１が位置決めされている。
下地フレーム１１の太陽電池パネル載置部２１には、ボルト係合溝３０が下地フレーム１１の長手方向に沿って形成されている。ボルト係合溝３０には、太陽電池パネル３を固定するボルト３９の頭がスライド自在に係合している。
【００１２】
図３及び図４に示すように、下地フレーム押さえ材１３は、左右の下係合部２３、２３に対応して設けてあり、各下地フレーム押さえ材１３は、下係合部２３を上から押さえる押さえ部１３ａと、梁材９にボルト３１で固定するボルト固定部１３ｂとが形成されている。
押さえ部１３ａは、下面が下係合部２３の上面２３ａに沿う傾斜面２４を有し、下係合部２３を上から押えており、ボルト固定部１３ｂは梁材９のボルト係合溝１６に頭を係合したボルト３１の軸部を挿通してナット３３を締め付けることで、下地フレーム押さえ材１３を梁材９に固定している。
【００１３】
図３及び図５に示すように、太陽電池パネル固定具１４は、太陽電池パネル位置決め部材３５と、太陽電池パネル押さえ材３７と、ボルト３９と、ナット４１とを備えている。
太陽電池パネル位置決め部材３５は、ベース部４３をねじ４５で下地フレーム１１の上面に固定してあり、下地フレーム１１の上面に設けたボルト係合溝３０にベース部４３に設けた嵌合部４７をボルト係合溝３０にスライド自在に嵌合してボルト係合溝３０の溝底３０ａにねじ４５で固定してある。尚、図６に示すように、ボルト係合溝３０には、その長手方向の所定位置にボルト３９の頭を挿入するボルト頭挿入部３２が形成されている。
ボルト３９は、その頭をボルト係合溝３０にスライド自在に係合してあり、太陽電池パネル位置決め部材３５の端面にボルト３９の軸部が当接する位置に設けてある。
太陽電池パネル押さえ材３７は、傾斜した上下方向で隣り合う太陽電池パネル３、３間に位置する脚部４９、４９と、各太陽電池パネル３、３の上面に当接する押さえ部５１、５１を備えている。
太陽電池パネル押さえ材３７は、太陽電池パネル３、３に上から被せると共にボルト３９の軸部を挿通して、ナット４１で固定してある。
【００１４】
次に、配線保持具７について説明する。
配線保持具７は、左右に隣り合う下地フレーム押さえ材１３、１３間の任意の位置において、下地フレーム１１の下係合部２３と、上係合部２５との間に取り付けてある。
図１及び図２に示すように、配線保持具７は、配線Ｔを収納する配線収納部５３と、上被係合部５５と、下被係合部５７と、他の配線保持具７が係合可能な上係合部５９と下係合部６１とを備えている。
配線収納部５３は、側面部６２と側面部６２から下地フレーム１１側に突設した突部６３を有し、突部６３は側面部６２と下地フレーム１１の側面２７との間で、配線を収納する空間Ｓを区画している。
【００１５】
図１に示すように、上被係合部５５は、配線保持具７の上端部から下方に屈曲した上屈曲部６５と、屈曲部６５から下地フレーム１１の側面２７側に向けて突設すると共に上側に向けて突設して上係合部２５に下から圧接する上圧接部６６を備えている。上圧接部６６は上屈曲部６５により下方に向けて変形するように弾性変形可能である。
下被係合部５７は、配線保持具７の下端部から上方に屈曲した下屈曲部６７と、下屈曲部６７から下地フレーム１１の側面２７側に向けて突設すると共に、下側に向けて突設して下係合部２３に上から圧接する下圧接部６８を備えている。下圧接部６８は下屈曲部６７により上方に向けて変形するように弾性変形可能である。
【００１６】
配線保持具７の上被係合部５５の上面５５ａは下地フレーム１１の上係合部２５の上面２５ｂに隣合って配置してあり且つ同一面にしてある。配線保持具７の下被係合部５７の下面５７ｂは下地フレーム１１の下係合部２３の下面２３ｂに隣合って配置してあり、同一面にしてある。
配線保持具７の上係合部５９は、下地フレーム１１の上係合部２５と略同じ形状としてあり、下面に下地フレーム１１の上係合部２５の傾斜面２５ａと一致する傾斜面５９ａが形成してあり、上面５９ｂが配線保持具７の上面７ａと同一面にしてある。
即ち、配線保持具７の上面７ａ、上係合部２５の上面２５ｂ、上被係合部５５の上面５５ａ、下地フレーム１１の太陽電池パネル載置部２１の上面２１ａは面一にしてある。
下係合部６１は、下地フレーム１１の下係合部２３と略同じ形状としてあり、上面に下係合部２３の傾斜面２３ａと同じ傾斜の傾斜面６１ａが形成してあり、下面６１ｂが配線保持具７の下面７ｂと同一面にしてある。
即ち、配線保持具７の下面７ｂ、下係合部２３の下面２３ｂ、下被係合部５７の下面５７ａ、下地フレーム１１の梁材載置部１９の下面１９ａは面一にしてある。
【００１７】
次に、第１実施の形態にかかる太陽電池パネル体１の施工、作用効果について説明する。
図７及び図９に示すように、架台５の組立は、前側支柱１５ａ及び後側支柱１５ｂに梁材９を架設し、後側支柱１５ｂ、１５ｂにはブレース１７を取り付ける。
そして、図４（ａ）に示すように、梁材９の上面には、予め定められた位置に下地フレーム位置決め部材１８をねじで固定しておき、図４（ｂ）に示すように、下地フレーム位置決め部材１８を下地フレーム１１の下面に形成してある位置決め溝２９に係合して、梁材９に対する下地フレーム１１の位置決めと仮置きをする。下地フレーム１１は、下地フレーム位置決め部材１８により梁材９に位置決めと仮置きをした後、図３に示すように、下地フレーム押さえ材１３で下地フレーム１１の下係合部２３を押さえて、下地フレーム押さえ材１３をボルト３１とナット３１で梁材９に固定する。
尚、下地フレーム位置決め部材１８は、工場で梁材９に固定してから施工現場に搬入している。
【００１８】
次に、下地フレーム１１の上面に設けたボルト係合溝３０にボルト３９の頭を係合して所定位置で太陽電池パネル位置決め部材３５をねじ４５で下地フレーム１１の上面に固定する。その後、太陽電池パネル３を下地フレーム１１、１１の上面に配置して、各太陽電池パネル３の傾斜した下端面を太陽電池パネル位置決め部材３５の位置決め部３６に当接させて配置する。
その後、傾斜した上下で隣り合う太陽電池パネル３、３間にあるボルト３９の軸部に太陽電池パネル押さえ材３７を挿通して、脚部４９、４９を上下で隣り合う太陽電池パネル３、３間に位置するように取り付けて、押さえ部５１を太陽電池パネル３、３の端部上面に載置し、ナット４１で締め付ける。これにより、太陽電池パネル３を下地フレーム１１に固定する。
【００１９】
図１及び図２に示すように、太陽電池パネル３の各配線Ｔ（図１参照）は、各下地フレーム１１の一方又は両方の側面２７において、配線保持具７の配線収納部５３に収納して、配線保持具７を下地フレーム１１の側面に取り付ける。
配線保持具７の取り付けは、下地フレーム１１の下係合部２３と上係合部２５との間に配線保持具７の下被係合５７と上被係合部５５が位置するようにして、配線保持具７を押し込む。これにより、配線保持具７の上被係合部５５が上屈曲部６５により、下被係合部５７が下屈曲部６７により、上被係合部５５と下被係合部５７が互いに間隔を狭めるように弾性変形し、下地フレーム１１の下係合部２３の傾斜した上面２３ａと上係合部２５の傾斜した下面２５ａを乗り越えた後、弾性復帰することにより、配線保持具７の上被係合部５５及び下被係合部５７が、下地フレーム１１の下係合部２３と上係合部２５との間に係止する。
配線を直したり、メンテナンス時等に配線保持具７を外すときには、例えば配線保持具７の上係合部５９を握って引くことで、配線保持具７の上被係合部５５が弾性変形して下地フレーム１１の上係合部５９との係合が外れて、配線保持具７を下地フレーム１１から外す。尚、配線保持具７を外すときには、下係合部６１を握って引いても良いし、上係合部５９と下係合部６１の両方を握って引くことで、配線保持具７を外しても良い。
【００２０】
また、必要に応じて、例えば、配線が多くある場合等には、もう一つの配線保持具７を下地フレーム１１に取り付けた配線保持具７の上に更に取り付ける。この場合には、既に取り付けた配線保持具７の上係合部５９と下係合部６１との間に、もう一つの配線保持具７の上被係合部５５及び下被係合部５７を配置して押し込んで、下地フレーム１１の側面に取り付けた配線保持具７に重ねてもう一つの配線保持具７を取り付ける。
配線保持具７を外すときには、上述したように、上係合部５９や下係合部６１を握って引くことで外すことができる。
【００２１】
本実施の形態に係る太陽電池架台１によれば、配線Ｔを配線保持具７の配線収納部５３に収納し、下地フレーム１１の側面に設けた上係合部２５に配線保持具７の上被係合部５５を下係合部２３に配線保持具７の下被係合部５７を係合するだけで、配線Ｔを下地フレーム１１に保持することができるから、配線保持具７の取り付けが簡単にできる。
配線保持具７は下地フレーム１１に脱着自在に係合してあるから、メンテナンス時における配線処理のやり直しや配線の交換等も容易にできる。
配線保持具７は下地フレーム１１に取り付けた際に、配線保持具７の上端部では、下地フレーム１１の上係合部２５の上面２５ｂとこの上面２５ｂに隣り合う配線保持具７の上被係合部５５の上面５５ａとを同一面としてあり、係合部部分が同一面になっているので、面が同一かどうかを目視により又は手で触って確認することにより、配線保持具７を正しく取り付けたかどうかを簡単に且つ確実に確認することができる。
同様に、配線保持具７の下端部では、下地フレーム１１の下係合部２３の下面２３ｂとこの下面２３ｂに隣り合う配線保持具７の下被係合部５７の下面５７ａとを同一面としてあり、係合部分が同一面になっているので、面が同一かどうかを目視により又は手で触って確認することにより、配線保持具７を正しく取り付けたかどうかを簡単に且つ確実に確認することができる。
下地フレーム１１の上係合部２５と配線保持具７の上被係合部５５との係合部分及び下地フレーム１１の下係合部２３と配線保持具７の下被係合部５７との係合部分が同一面になっているので、下地フレーム１１に配線保持具７を仮り付けした状態で上下に積み重ねて工場から施工現場へ運ぶ場合に、下地フレーム１１と配線保持具７との係合部分が上下で各々面一であるから、安定に積み重ねできると共に傷が付くのを防止できる。
【００２２】
配線保持具７を係合する下地フレーム１１の下係合部２３が、下地フレーム押さえ材１３の押さえ部１３ａが係合する係合部を兼ねているので、下地フレーム押さえ材１３が係合する係合部を下地フレーム１１に別に設けなくて済み、下地フレーム１１の構造を簡易にできる。
配線保持具７の背面には、下地フレーム１１の下係合部２３及び上係合部２５と略同一形状の上係合部５９及び下係合部６１を設けているので、必要に応じて、配線保持具を重ねて取り付けできるので、配線Ｔが多くある場合でも配線処理が容易にできる。
配線保持具７には、突部６３を設けて配線空間を区分しているので、配線の絡みを防止できると共に配線の区分け処理も容易にできる。
【００２３】
下地フレーム１１は、側面２７に配線保持具を取り付ける為の溝を形成していないので、断面剛性の低下を防止できる。
下地フレーム１１には、左右の側面に各々下係合部２３及び上係合部２５を設けているので、下地フレーム１１には対向する各側面に配線保持具７を取り付けることができ、下地フレーム１１のいずれの側面又は両側面に配線を保持することができる。
【００２４】
本発明は、上述した実施の形態に限らず、本発明の要旨を逸脱しない範囲で種々変形可能である。
例えば、下地フレーム１１には配線保持具７を２段に重ねて取り付けることに限らず、図１０に示すように、配線保持具７を重ねることなく、１個だけ取り付けても良い。また、配線保持具７は３段や４段に重ねて取付けてもよい。
また、配線保持具７は、隣り合う下地フレーム押え材１３、１３間の複数個所に設けても良い。
【符号の説明】
【００２５】
１    太陽電池架台
７    配線保持具
１１  下地フレーム
１３  載置部
２３  下係合部
２３ｂ  係合部の下面
２５  上係合部
２５ｂ  係合部の上面
５３    配線収納部
５５  上被係合部
５５ａ  上被係合部の上面
５７  下被係合部
５７ａ  下被係合部の下面
Ｔ    配線
【図１】
2014084572.tif 000003
【図２】
2014084572.tif 000004
【図３】
2014084572.tif 000005
【図４】
2014084572.tif 000006
【図５】
2014084572.tif 000007
【図６】
2014084572.tif 000008
【図７】
2014084572.tif 000009
【図８】
2014084572.tif 000010
【図９】
2014084572.tif 000011
【図１０】
2014084572.tif 000012